(57)【要約】      （修正有）【課題】ダーツのリリース時までグリップを一定に保つことを可とするダーツバレルを提供する。【解決手段】円柱状のダーツバレル２の表面に、ダーツバレル２の長手方向に、２箇所から８箇所の流線形状の窪み２ａを等間隔で円周方向に配置する。当該流線形状の窪み２ａは、ダーツバレル２の中央付近の前よりから始まり、徐々に窪みが広く且つ深くなり、中央付近から、やや後方で、最大の広さで且つ深さになり、そこからシャフト３側にかけて徐々に狭く且つ浅くなるような形状にする。【選択図】図１
0003172260.tif 000002
【実用新案登録請求の範囲】
【請求項１】
略円柱状のダーツバレル２の表面に、ダーツバレル２の長手方向に、２箇所から８箇所の流線形状の窪み２ａを等間隔で円周方向に配置し、当該流線形状の窪み２ａは、ダーツバレル２の中央付近の前よりから始まり、徐々に窪みが広く且つ深くなり、中央付近から、やや後方で、最大の広さで且つ深さになり、そこからシャフト側にかけて徐々に狭く且つ浅くなるような形状にすることにより、グリップ位置を特定でき、且つリリースする時、ひっかからないようにし、回転させやすいことを特徴とするダーツバレル。
【請求項２】
窪み２ａは、長さ方向に対して直角方向に円弧の形状で、窪みの深さについては、窪みの前方先端付近は、長さ方向に円弧状に深くなる形状とし、そこから後方にかけて窪みの深さが浅くなる形状とし、前方先端付近に親指を当てて握れるようにしたことを特徴とする請求項１記載のダーツバレル。
【考案の詳細な説明】
【技術分野】
【０００１】
本考案は、ダーツバレルに関する。
【背景技術】
【０００２】
ダーツとは、壁などに設置されたダーツボードにダーツを当てて得点を競うスポーツである。
【０００３】
ダーツは、１本ずつ手で投げる競技であるため、グリップ（ダーツバレルの持ち方）が変化するとダーツ飛行時の軌道に大きく影響を与える。
【０００４】
このため、ダーツを正確に目標に当てるには、ダーツのリリース時までグリップを一定に保つことが重要であり、そのグリップを決めるのは、ダーツバレルである。
現状のダーツバレルは、グリップ位置を固定するための明確な形状変化がないため、一定に保つことが困難である。
【０００５】
また、ダーツのリリース時、手からダーツが滑らないように投げることが重要である。
【０００６】
最近、回転方向の滑りを抑えるため、縦方向にも刻みをいれる傾向がみられる。
【考案の概要】
【考案が解決しようとする課題】
【０００７】
従来のダーツには下記のような課題がある。
１）手から離れる時滑らないように刻みをもうけているが、グリップ位置を固定するための明確な形状変化がないため、一定に保つことが困難である。
２）リリースする時、回転方向に滑りやすく回転させにくい。
３）指からダーツがはなれるとき、刻みにひっかかりスムーズにはなれない。
【課題を解決するための手段】
【０００８】
略円柱状のダーツバレル２の表面に、ダーツバレル２の長手方向に、２箇所から８箇所の流線形状の窪み２ａを等間隔で円周方向に配置し、当該流線形状の窪み２ａは、ダーツバレル２の中央付近の前よりから始まり、徐々に窪みが広く且つ深くなり、中央付近から、やや後方で、最大の広さで且つ深さになり、そこからシャフト側にかけて徐々に狭く且つ浅くなるような形状にすることにより、グリップ位置を特定でき、且つリリースする時、ひっかからないようにし、回転させやすいことを特徴とするダーツバレル。
【０００９】
窪み２ａは、長さ方向に対して直角方向に円弧の形状で、窪みの深さについては、窪みの前方先端付近は、長さ方向に円弧状に深くなる形状とし、そこから後方にかけて窪みの深さが浅くなる形状とし、前方先端付近に親指を当てて握れるようにしたことを特徴とするダーツバレル。
【考案の効果】
【００１０】
ダーツバレルを同じ位置でグリップでき、進行方向と回転方向に滑らずリリースすることができる。また、ダーツが指からはなれる時、ひっかからず、スムーズにリリースすることができる。これにより、ダーツがまっすぐ狙ったところに、当てることができる。
【図面の簡単な説明】
【００１１】
【図１】本考案のダーツの全体構成
【図２】本考案のダーツバレルの構成
【図３】本考案のダーツバレルのＡ−Ａ断面
【図４】本考案のダーツバレルのＢ−Ｂ断面
【図５】従来のダーツバレルの構成
【考案を実施するための形態】
【００１２】
図１から図４で本考案の実施例を示す。流線形状の窪み２ａの数は２箇所から８箇所であるが、図では、流線形状の窪み２ａの数が４箇所の場合を示す。
図１は、本考案のダーツの全体構成を示す。ダーツにはハードダーツとソフトダーツがある。ダーツ１は、チップ５と、本考案のダーツバレル２と、シャフト３と、フライト４からなる。ハードダーツの場合は、チップはダーツバレルの先端の穴に圧入され、ソフトダーツの場合は、ダーツバレルの先端の穴にネジを設け、チップがネジで固定される。シャフト３とダーツバレル２はネジで接続される。フライト４はシャフト３に、勘入されて固定される。
【００１３】
図２は、本考案のダーツバレルの構成である。本考案のダーツバレルは、略円柱状のダーツバレル２の表面に、ダーツバレル２の長手方向に、２箇所から８箇所の流線形状の窪み２ａを等間隔で円周方向に配置する。ダーツバレルの外形については、略円柱状の前方は、砲弾型の形状で、それから後方にかけて、窪みのあるところはテーパー形状に狭まる形状である。当該流線形状の窪み２ａは、ダーツバレル２の前記中央付近の前よりから始まり、徐々に窪みが広く且つ深くなり、中央付近から、やや後方で、最大の広さで且つ深さになり、そこからシャフト側にかけて徐々に狭く且つ浅くなるような形状である。
前記外形のテーパー状の部分について、窪みは、長さ方向に対して直角に約１０ｍｍの円弧の形状である。窪みの深さについては、前方先端は、長さ方向に約１５ｍｍの円弧で徐々に深くなり、円弧の一番深いところから、当該円弧の接線を延伸した直線で後方に伸びる。この接線を延伸した直線がダーツバレルの外形の表面と交わる箇所で窪みが終わる。１０ｍｍのアール（円弧）をもった切削工具を回転させ、窪みの深さにそって、長さ方向の形状にそって徐々移動させて切削する。窪みの後方に形状については、上記に限定されることなく、後方にかけて窪みの深さが浅くなる形状であればよい。
【００１４】
図３は、本考案のダーツバレルのＡ−Ａ断面である。流線形状の窪み２ａは、４箇所あり、断面形状は円弧になっている。
【００１５】
図４は、本考案のダーツバレルのＢ−Ｂ断面である。前方から中央付近にかけて緩やかな円弧の窪みであるが、中央付近から後部にかけて、前記円弧の接線として延伸し、ダーツバレルの表面と交わる。
【００１６】
図５は、従来の構成である。従来のダーツバレルは、円筒状のダーツバレルに複数個のリング状の細い溝が配置された形をしており、溝が生じる摩擦力を利用して指を滑りにくくしているものが一般的であった。しかし、リング状の溝は指のグリップ位置を固定させることが難しく、またダーツのリリース時に指が溝に引っかかる問題を抱えていた。
【００１７】
以下、本考案のダーツバレルの目的と要件は次の通りである。（ａ）ダーツの形状からグリップ位置がわかるようにする。（ｂ）ダーツはグリップ位置と重心のバランスが重要である。（ｃ）データをとることにより理想的な重心とグリップ位置をもつダーツが設計できる。（ｄ）初心者にも、ダーツのグリップ位置がすぐにわかる。（ｅ）指がはまりこむ形状にすることにより、回転方向にもしっかり保持でき、横滑りを防止する。
【００１８】
これらの要件を満たすため、本考案のダーツバレルの形状は、開始位置にダーツを握る指の先が嵌まるような円弧状に深さをもつ流線形状の窪み２ａを設けることで、ダーツのスロー時に指が滑らず安定したリリースが行えるようしている。ダーツを握る指の先が嵌るような円弧状に深さをもつ流線形状の窪み２ａにより、指の形とほぼ同等の形の窪みを設け、従来のダーツバレルと比べてより広い面積で指との接触を可能とするダーツバレルである。
ダーツのリリース時に指がダーツバレルに引っかからずに、スムーズに指を離すことができる。
ダーツバレルを握るとき、例えば、親指と人差し指で挟み込み、中指と薬指をそえる。流線形状の窪み２ａの大きさと深さは、親指の真ん中部が嵌るようにしている。流線形状の窪み２ａの位置は、ダーツバレルの中間付近からシャフト側の後方にかけて配置で、競技者により、流線形状の窪み２ａの数は２箇所から８箇所がよい。
【産業上の利用可能性】
【００１９】
初心者にもグリップ位置がわかりやすく、すぐ握れて、投げることができる。利用者の拡大をはかり、新しいダーツバレルを提供し、ダーツ業界に貢献する。
【符号の説明】
【００２０】
１  ダーツ  
２    ダーツバレル
２ａ  窪み
３  シャフト
４  フライト
５  チップ
６  チップ固定部
７  シャフト固定部
【図１】
0003172260.tif 000003
【図２】
0003172260.tif 000004
【図３】
0003172260.tif 000005
【図４】
0003172260.tif 000006
【図５】
0003172260.tif 000007